(57)【要約】【課題】パイル糸を備えたシャッター用消音材において、シャッターカーテンを構成するスラットとガイドレールとが金属接触することによって生じる不快音を無くす。【解決手段】ガイドレールに装着される帯状のベース４と、ベース４の長さ方向に沿ってベース上に植設されたパイル糸５と、パイル糸５よりも突出させずに、パイル糸５の両側に位置させてベース４上に延設された一対の軟質樹脂製フィン６と、からなり、一対の軟質樹脂製フィン６の先端側は、互いに離隔する方向に湾曲している。【選択図】図４
2007327175.tif 000002
【特許請求の範囲】
【請求項１】
ガイドレールに装着される帯状のベースと、
ベースの長さ方向に沿ってベース上に植設されたパイル糸と、
パイル糸よりも突出させずに、パイル糸の両側に位置させてベース上に延設された一対の軟質樹脂製フィンと、からなり、
前記一対の軟質樹脂製フィンの先端側は、互いに離隔する方向に湾曲している、シャッター用消音材。
【請求項２】
ガイドレールの側辺にガイド溝内に向けて突成した装着部と、シャッター用消音材と、からなるシャッター用消音構造であって、
前記消音材は、
ガイドレールに装着される帯状のベースと、
ベースの長さ方向に沿ってベース上に植設されたパイル糸と、
該装着部より突出し、かつ、パイル糸よりも突出させずに、パイル糸の両側に位置させてベース上に延設された一対の軟質樹脂製フィンと、からなり、
前記一対の軟質樹脂製フィンの先端側は、互いに離隔する方向に湾曲しており、該装着部の少なくとも一部を覆うように延出している、シャッター用消音構造。
【発明の詳細な説明】
【技術分野】
【０００１】
本発明は、シャッター用消音材及び消音構造に関するものである。
【背景技術】
【０００２】
シャッター装置は、スラットを上下に連設してなるシャッターカーテンの幅方向両端部を、建物開口部の左右に立設したガイドレールに案内させることで昇降させて開口部を開閉するものである。シャッターカーテンを構成するスラット及びガイドレールは共に金属製であるため、シャッターカーテンの昇降時および建物開口部全閉時において、シャッターカーテンとガイドレールが金属接触することによって不快な音が発生することになる。そこで、従来から幾つかの消音対策が採られており、消音対策の一つとして、パイル糸を備えたシャッター用消音材を用いたものがある。
【０００３】
図１は、従来のシャッター用消音構造を示す図である。対向状の側辺１，１と側辺１，１の基端側を連結する底辺２とからガイドレールＧが構成されており、対向状の側辺１，１間にシャッターカーテンのスラット端部を受け入れて上下に案内するようになっている。側辺１，１の先端側には、消音材の装着部３，３が対向状に突成されており、装着部３，３には消音材を受け入れて装着するポケットが形成されている。
【０００４】
図１（Ａ）において、各装着部３のポケットに装着される各消音材は、ガイドレールに沿って延出する帯状のベース４と、ベース４に植設された多数のパイル糸５とから構成されており、各消音材は、各々のパイル糸５同士が対向するようにして、各々のポケットに装着される。パイル糸５は、装着部３の対向面よりも突出しているので、開口部全閉時において、風等によってスラットが一方の側辺１に向かって押し付けられたとしても、スラットはパイル糸５に接触するので、スラットがガイドレールＧ（装着部３）に金属接触して不快な音が発生することを防止している。
【０００５】
しかしながら、建物開口部全閉時において、スラットが繰り返してパイル糸を押圧すると、スラットがパイル糸を掻き分けて装着部３に接触してしまう場合がある。図２は、スラットがパイル糸を掻き分ける様子を示し、特に、スラット同士を上下に連結するためのインターロック部によってパイル糸が掻き分けられる。これを防止するためには、パイル糸の密度を高くし、及び/あるいは、パイル糸の長さを長くすることが考えられるが、それに伴って開閉操作力が重くなってしまうという不具合がある。また、パイル糸の密度を高くしたとしても、スラットと装着部３との接触を完全に防ぐことは困難である。
【０００６】
図１（Ｂ）は、図１（Ａ）の構成において、パイル糸内に樹脂製フィン５´を設けることで、スラットとガイドレールとの接触を防止しようとするものである（類似の構成が、特許文献１に開示されている）。しかしながら、このものにおいても、樹脂製フィン５´がつぶれたり、磨耗するため、スラットと装着部３との接触を完全に防ぐことは困難である。
【特許文献１】特開２００３−３２８６６０号
【発明の開示】
【発明が解決しようとする課題】
【０００７】
本発明は、パイル糸を備えたシャッター用消音材において、シャッターカーテンを構成するスラットとガイドレールとが金属接触することによって生じる不快音を無くすことを目的とするものである。
【課題を解決するための手段】
【０００８】
かかる課題を達成するために本発明が採用したシャッター用消音材は、ガイドレールに装着される帯状のベースと、ベースの長さ方向に沿ってベース上に植設されたパイル糸と、パイル糸よりも突出させずに、パイル糸の両側に位置させてベース上に延設された一対の軟質樹脂製フィンと、からなり、前記一対の軟質樹脂製フィンの先端側は、互いに離隔する方向に湾曲している。
【０００９】
本発明が採用したシャッター用消音構造は、ガイドレールの側辺にガイド溝内に向けて突成した装着部と、シャッター用消音材と、からなるシャッター用消音構造であって、前記消音材は、ガイドレールに装着される帯状のベースと、ベースの長さ方向に沿ってベース上に植設されたパイル糸と、該装着部より突出し、かつ、パイル糸よりも突出させずに、パイル糸の両側に位置させてベース上に延設された一対の軟質樹脂製フィンと、からなり、前記一対の軟質樹脂製フィンの先端側は、互いに離隔する方向に湾曲しており、該装着部の少なくとも一部を覆うように延出している。
【発明の効果】
【００１０】
本発明では、スラットがパイル糸を押圧した時には、スラットは軟質樹脂製のフィンに接触するので、スラットとガイドレールとが金属接触することがなく、金属接触により生じる不快音（特に、開口部全閉時におけるバタツキ音）を無くすことができる。
【００１１】
一対の軟質樹脂製フィンの先端側が、互いに離隔する方向に湾曲しているので、湾曲部分がスラットとガイドレールとの間に介装されるので、スラットが直接ガイドレールと接触することがないため、シャッター開閉時の接触音、閉鎖時のバタツキ音が低減される。また、通常のシャッター開閉時では、スラットとパイル糸とが接触するので、全体が樹脂製である消音部材に比べて開閉時の擦過音が少ない。
【発明を実施するための最良の形態】
【００１２】
図３は、本発明に係るシャッター用消音構造の実施例を示す図である。ガイドレールＧは、建物開口部の左右端部に立設される長尺材であって、対向状の側辺１，１と側辺１，１の基端側を連結する底辺２とから構成されており、対向状の側辺１，１間に形成された案内溝にスラット端部を受け入れて、当該スラット端部を上下に案内するようになっている。側辺１，１の先端側には、消音材の装着部３，３が対向状に突成されており、装着部３はガイドレールＧの長さ方向に沿って上下に延出している。
【００１３】
図４に示すように、装着部３は、各側辺１の先端側に、所定間隔を存して対向状に一体形成された突片３０，３１からなり、突片３０，３１の先端部を互いに近接する方向に折曲させて折曲片３００，３１０が形成されており、突片３０，３１、折曲片３００，３１０から消音材を受け入れて装着するポケットＰが形成されている。
【００１４】
図３（Ａ），（Ｂ）において、シャッター用消音材は、ガイドレールＧの装着部３に装着される帯状のベース４と、ベース４の長さ方向に沿ってベース４上に植設されたパイル糸５と、パイル糸５の両側に位置させて、パイル糸５よりも突出させずにパイル糸５に沿ってベース４上に延設された一対の軟質樹脂製フィン６，６と、からなり、さらに、一対の軟質樹脂製フィン６の先端側は、互いに離隔する方向（パイル糸５から離隔する方向）に湾曲している。
【００１５】
ベース４は、ガイドレールＧの長さ方向に沿って延出する長尺材であり、例えば、接着剤によって装着部３の底側（突片３０，３１の基端側）に固定される。ベース４を形成する材質については、一つの態様では、パイル糸を備えた従来の消音材のベースと同様であって、例えば、特許文献１を参照することができ、ベース４は、ポリアミド系樹脂、ポリオレフィン系樹脂、ポリエステル系樹脂等の合成樹脂から形成される。一つの態様では、ベース４は、フィン６を形成する軟質樹脂に対して硬質樹脂から形成されている。
【００１６】
パイル糸５は、ベース４の面部に対して起毛されており、ベース４の長さ方向に沿って連続状に設けてあり、したがって、パイル糸５はガイドレールＧの長さ方向に沿って上下に延出するパイル糸列を形成している。スラット端部がガイドレールＧの溝内に受け入れられた状態では、パイル糸５の先端は、スラット端部に近接対向するようになっている。したがって、シャッターの通常の開閉時には、スラット端部はパイル糸５と摺接することになり、全体が樹脂製である消音部材に比べて開閉時の擦過音が少ない。パイル糸５の材質は限定されないが、一つの好ましい態様では、パイル糸５はモヘヤである。
【００１７】
ベース４上には、パイル糸列の両側に位置させて、パイル糸列に沿ってベース４の長さ方向に延出するように、一対の軟質樹脂製フィン６，６が設けてある。軟質樹脂製フィン６は、パイル糸列の両側に近接して、ベース４に対して立ち上がり状に形成されており、さらに、先端側は、互いに離隔する方向に湾曲して湾曲部分６０を形成している。湾曲部分６０は、装着部３を形成する突片３０，３１の先端の折曲片３００，３１０を覆うように延出している。軟質樹脂製フィン６の突出寸法は、パイル糸５の突出寸法よりも小さい寸法となっており、軟質樹脂製フィン６の先端は、パイル糸５が起毛した状態では、パイル糸５の先端よりも突出しないようになっている。フィン６を形成する軟質樹脂は、スラットがフィンに接触した時に、不快な音が生じない程度の硬さを備えていれば良い。図３（Ａ），（Ｂ）の軟質樹脂製フィン６は、湾曲部分の形状が若干異なる点を除いて同じである。
【００１８】
パイル糸５の基端側は、軟質樹脂製フィン６，６によって挟まれているので、スラットがパイル糸５を掻き分けようとしても、パイル糸５の基端側の拡開が規制され、また、スラットがパイル糸５を押し広げようとした時にはスラットが軟質樹脂製フィン６に接触するので、スラットが直接ガイドレールＧの装着部３に接触して不快な音が発生することが防止される。さらに、軟質樹脂製フィン６がスラットによる当接で変形しても、軟質樹脂製フィン６の先端の湾曲部分６０が装着部３を形成する折曲片３００，３１０に当接するように変形するので、スラットと折曲片３００，３１０との間には軟質樹脂製フィン６が介装されることになって、スラットが直接ガイドレールＧの装着部３に接触することがなく、金属接触によって不快な音が発生することが防止される。
【００１９】
図３（Ｃ）では、シャッター消音材のベースがベース４、ベース４０の２部材から構成されている。シャッター用消音材は、パイル糸５が植設されたベース４と、一対の軟質樹脂製フィン６が設けられたベース４０と、を備えており、ベース４０はベース４よりも幅広に形成されている。すなわち、シャッター消音材は、ガイドレールＧの装着部３に装着される帯状のベース４０と、ベース４０上に設けられた帯状のベース４と、ベース４の長さ方向に沿ってベース４上に植設されたパイル糸５と、パイル糸５の両側に位置させて、パイル糸５よりも突出させずにパイル糸５に沿ってベース４０上に延設された一対の軟質樹脂製フィン６，６と、からなり、一対の軟質樹脂製フィン６の先端側は、互いに離隔する方向に湾曲している。
【００２０】
ベース４０上には、パイル糸列の両側に位置させて、パイル糸列に沿ってベース４、４０の長さ方向に延出するように、一対の軟質樹脂製フィン６，６が設けてある。軟質樹脂製フィン６は、ベース４０に対して立ち上がり状に形成されており、さらに、先端側は、互いに離隔する方向に湾曲して湾曲部分６０が形成されている。湾曲部分６０は、装着部３を形成する突片３０，３１の先端の折曲片３００，３１０を覆うように延出している。軟質樹脂製フィン６の突出寸法は、パイル糸５の突出寸法よりも小さい寸法となっており、軟質樹脂製フィン６の先端は、パイル糸５が起毛した状態では、パイル糸５の先端よりも突出しないようになっている。フィン６を形成する軟質樹脂は、スラットがフィンに接触した時に、不快な音が生じない程度の硬さを備えていれば良い。
【００２１】
スラットがパイル糸５を押し広げようとした時にはスラットが軟質樹脂製フィン６に接触するので、スラットが直接ガイドレールＧの装着部３に接触して不快な音が発生することが防止される。さらに、軟質樹脂製フィン６がスラットによる当接で変形しても、軟質樹脂製フィン６の先端の湾曲部分６０が装着部３を形成する折曲片３００，３１０に当接するように変形するので、スラットと折曲片３００，３１０との間には軟質樹脂製フィン６が介装されることになって、スラットが直接ガイドレールＧの装着部３に接触することがなく、金属接触によって不快な音が発生することが防止される。
【産業上の利用可能性】
【００２２】
本発明は、シャッター用消音材に用いることができる。
【図面の簡単な説明】
【００２３】
【図１】従来の消音構造を示す図である。
【図２】建物開口部全閉時における消音材を構成するパイル糸とスラットとの関係を示す図である。
【図３】消音構造の実施例を示す図である。
【図４】図３（Ａ）の消音構造の要部拡大図である。
【図５】図３（Ｃ）の消音構造の要部拡大図である。
【符号の説明】
【００２４】
Ｇ  ガイドレール
Ｓ  スラット
３  装着部
４  ベース
５  パイル糸
６  軟質樹脂製フィン
６０  湾曲部分
【図１】
2007327175.tif 000003
【図２】
2007327175.tif 000004
【図３】
2007327175.tif 000005
【図４】
2007327175.tif 000006
【図５】
2007327175.tif 000007